(57)【要約】      （修正有）【課題】  ブレーキ、差動ロックなどの作動的回路を作動させるための高圧油を供給する手段を提供する。【解決手段】  本発明は、高圧油の圧力を自動的に補償する２位置３方向論理バルブ２２を有する開回路油圧伝達装置１０に関する。開回路油圧伝達装置は、油圧路の高圧油を孔２０を通過させて２位置３方向論理バルブ２２へ供給するポンプ１２を備えている。負荷検出信号に基づいて、２位置３方向論理バルブ２２は、圧力補償遠隔リリーフバルブ３６へ高圧油を送るか、または高圧油を停止させる。負荷検出信号により、２位置３方向論理バルブ２２がポンプからの高圧油を送るか否かが設定される。【選択図】        図１
2005090749.tif 000002
【特許請求の範囲】
【請求項１】
ポンプと、
ポンプに流体的に連結された孔と、
この孔に流体的に連結され、第１の位置及び第２の位置にシフトする２位置３方向論理バルブ
とを備える開回路油圧伝達装置。
【請求項２】
負荷検出信号が入力され、２位置３方向論理バルブが第１の位置にある時、孔及び２位置３方向論理バルブに流体的に連結される圧力補償遠隔リリーフバルブをさらに備えている、請求項１記載の開回路油圧伝達装置。
【請求項３】
ポンプと、
ポンプに流体的に連結された孔と、
この孔に流体的に連結され、第１の位置及び第２の位置にシフトし、負荷検出信号が０の時、第１の位置に位置し、負荷検出信号が０を超えると、第２の位置に位置する２位置３方向論理バルブと、
負荷検出信号が入力されるようになっており、２位置３方向論理バルブが第１の位置にある時、孔に流体的に連結され、２位置３方向論理バルブが第２の位置にある時、孔から分離されるようになっている圧力補償遠隔リリーフバルブ
とを備える開回路油圧伝達装置。
【発明の詳細な説明】
【技術分野】
【０００１】
本発明は、自動圧力補償遠隔装置を備える開回路油圧伝達装置に関する。
【背景技術】
【０００２】
多くの油圧式移動車両では、ブレーキ、差動ロック、その他の作動的回路を作動させるために、高圧油が必要である。いくつかの例では、高圧油は、個々のポンプから送られる。また、高圧油は、開回路ピストンポンプを用いて、圧力補償遠隔装置のオン/オフソレノイドバルブを駆動させることによって送られることもある。
【０００３】
これらの装置では、圧力補償遠隔機能を無効にするか、または複合装置を用いた専用のポンプ回路を設ける必要がある。装置の複雑化、個々のポンプのコスト、及びソレノイドバルブの必要性を低くするために、自動化機能が望まれている。
【発明の開示】
【発明が解決しようとする課題】
【０００４】
従って、本発明の第１の目的は、従来技術を改善するために、高圧油を作動的回路に供給する手段を提供することにある。
【０００５】
本発明の第２の目的は、圧力補償遠隔機能を無効にしたり、個々のポンプ回路を設けることによる複雑化を防ぐことにある。
【０００６】
本発明の第３の目的は、圧力補償遠隔機能を実現するソレノイドバルブや追加的なポンプを不必要とすることにある。
【０００７】
本発明の第４の目的は、２位置３方向論理バルブを用いて、開回路ピストンポンプにおける圧力補償遠隔機能を無効とすることにある。
【０００８】
本発明の第５の目的は、通常の負荷検出機能の他に、圧力補償遠隔機能を実現するポンプを提供することにある。
【０００９】
本発明の第６の目的は、新しい回路をもって、圧力補償遠隔機能と負荷検出機能とを自動的に切り替えるポンプを提供することにある。
【００１０】
本発明の上述した、及びそれ以外の目的、特徴及び利点は、詳細な説明及び特許請求の範囲から明らかになると思う。
【課題を解決するための手段】
【００１１】
本発明は、開回路における自動圧力補償遠隔装置に関するものである。この装置は、油圧ポンプ、圧力補償スプール設定部、及び負荷検出スプール設定部を有している。この装置は、負荷検出信号に基づいて、ポンプから圧力補償遠隔リリーフバルブへの流体流れを停止するために、自動的にシフトする２位置３方向論理バルブを備えている。
【００１２】
負荷検出信号が０の時、２位置３方向論理バルブは、ポンプから圧力補償遠隔リリーフバルブへ流体を流し、負荷検出信号が０を超えると、２位置３方向論理バルブは、ポンプから圧力補償遠隔リリーフバルブへの流体を停止させ、負荷検出信号は、圧力補償遠隔リリーフバルブを無効とする。
【発明を実施するための最良の形態】
【００１３】
自動圧力補償遠隔装置（１０）は、サーボ（１６）により制御される回転斜板（１４）を有する油圧ポンプ（１２）を備えている。油圧ポンプ（１２）は、孔（２０）へ高圧油を流す油圧路（１８）を備えている。また、自動圧力補償遠隔装置（１０）は、負荷検出信号が入力される負荷検出信号線（２３）と、第１の位置（２４）（図１）または第２の位置（２６）（図２）へ切り替わる２位置３方向論理バルブ（２２）とを備えている。
【００１４】
また、自動圧力補償遠隔装置（１０）は、圧力補償バルブ（３０）のための圧力補償スプール設定部（２８）と、減圧バルブ（３４）のための負荷検出スプール設定部（３２）とを備え、かつ、タンク（３８）に連結された圧力補償遠隔リリーフバルブ（３６）を備えている。
【００１５】
作動中、負荷検出信号が０の場合、２位置３方向論理バルブ（２２）はばね偏位され、高圧油は、油圧路（１８）を流れ、孔（２０）及び２位置３方向論理バルブ（２２）を通過し、圧力補償遠隔リリーフバルブ（３６）へ流れる。それにより、圧力補償遠隔機能が達成される。油圧ポンプ（１２）は、圧力補償スプール設定部（２８）により設定された圧力より低く、かつ、負荷検出スプール設定部（３２）により設定された圧力よりも高い圧力の高圧油を供給する。
【００１６】
負荷検出信号が０を超えると、２位置３方向論理バルブ（２２）は、第１の位置（２４）から第２の位置（２６）へシフトし、油圧路（１８）からの高圧油が遮断されるとともに、負荷検出信号による圧力補償遠隔リリーフバルブ（３６）の駆動が停止される。すなわち、負荷検出信号により、圧力補償遠隔リリーフバルブ（３６）が無効とされる。このように、２位置３方向論理バルブ（２２）が第２の位置（２６）へシフトされると、油圧ポンプ（１２）は、公知の圧力補償負荷検出開回路ポンプとして動作する。
【００１７】
自動圧力補償遠隔装置（１０）は、外部負荷圧力が検出された時にのみ、負荷検出圧力を小さくし、油圧ポンプ（１２）の排出量変化には依存しない。そのため、自動圧力補償遠隔装置（１０）は、遠隔圧力補償機能と、外部入力を必要としない負荷検出ポンプ機能とを提供する。また、自動圧力補償遠隔装置（１０）では、２つの固定された別々のマージンを設定でき、複雑化及び製造コストを抑えるとともに、同じポンプをもって、遠隔圧力補償機能と通常の負荷検出機能を実現するようになっている。
【００１８】
負荷検出信号が負荷検出信号線から送られる場合、２位置３方向論理バルブは、開回路ピストンポンプの圧力補償遠隔機能を無効とする。このような設計では、圧力補償遠隔機能を無効にしたり、個々のポンプ回路を設けることによる複雑化を小とするように、２位置３方向論理バルブが用いられる。また、自動２位置３方向論理バルブにより、ポンプを回路における圧力補償遠隔機能と負荷検出機能とに自動的に切り替えることができる。このようにして、本発明の全ての目的が達成される。
【００１９】
本発明の範囲から逸脱することなく、種々の変更ができることは、当業者には理解されると思う。そのような全ての変更及び修正は、特許請求の範囲内のものである。
【図面の簡単な説明】
【００２０】
【図１】２位置３方向論理バルブが第１の位置にある場合の自動圧力補償遠隔装置の略図である。
【図２】２位置３方向論理バルブが第２の位置にある場合の自動圧力補償遠隔装置の略図である。
【符号の説明】
【００２１】
１０      自動圧力補償遠隔装置
１２      油圧ポンプ
１４      回転斜板
１６      サーボ
１８      油圧路
２０      孔
２２      ２位置３方向論理バルブ
２３      負荷検出信号線
２４      第１の位置
２６      第２の位置
２８      圧力補償スプール設定部
３０      圧力補償バルブ
３２      負荷検出スプール設定部
３４      減圧バルブ
３６      圧力補償遠隔リリーフバルブ
３８      タンク
【図１】
2005090749.tif 000003
【図２】
2005090749.tif 000004